(57)【要約】【課題】ハンズフリーで双眼鏡が装着可能であるとともに、防眩性を高める。【解決手段】ヒンジ３Ａからテンプル３を開いてメガネと同じ要領でテンプル３を耳に掛けて装着する。装着後、枢支部２５を中心として左右の固定板２４を回転させ、装着者の目幅と接眼レンズ１０の間隔を調整する。この後、調整摘み２２を左右方向に回動させることによって、調整ねじ２２を回転させ、固定板２４を介して対物レンズ１１の鏡筒１３を光軸方向（前後方向）に移動させることにより、視認対象物とのピント合わせを行う。フレーム部１を装着した際、使用者とフレーム部１との間の隙間は遮光性カバー５によって塞がれ、接眼レンズ１０が存在する遮光性カバー５の内側が遮光され、防眩性を高める。【選択図】図１
2009031381.tif 000002
【特許請求の範囲】
【請求項１】
メガネ型のフレーム部と、このフレーム部の前面に設けた遮光性を備えた前面板と、この前面板に設けた一対の対物レンズと接眼レンズとを備え、前記フレーム部の周縁に、該フレーム部と装着者との隙間を塞ぐフード状の遮光性カバーを設けたことを特徴とするサングラス双眼鏡。
【請求項２】
前記接眼レンズと前記対物レンズとがそれぞれ光軸方向に移動自在に嵌め合わせた鏡筒に固定され、かつ、その一方の鏡筒を光軸方向に進退させてピント合わせを行う調節手段を備えたことを特徴とする請求項１記載のサングラス双眼鏡。
【請求項３】
前記鏡筒の摺動面に位置して前記接眼レンズ又は前記対物レンズを光軸方向に案内するためのガイド機構を設けたことを特徴する請求項２記載のサングラス双眼鏡。
【請求項４】
前記ガイド機構が、前記一方の鏡筒に設けたガイド用突部と、このガイド用突部と嵌合するように前記他方の鏡筒に設けたガイド用溝部とで構成されていることを特徴とする請求項３記載のサングラス双眼鏡。
【請求項５】
前記対物レンズ又は／及び接眼レンズの鏡筒間に固定板を架設するとともに、この固定板を左右に分割して枢支部により連結し、その枢支部を支点として左右の固定板の間隔を調整して前記対物レンズと接眼レンズの間隔を使用者の目幅に合わせる眼幅調節機能としたことを特徴とする請求項１〜４の何れか１記載にサングラス双眼鏡。
【発明の詳細な説明】
【技術分野】
【０００１】
本発明は、各種のスポーツ競技やイベントの鑑賞に際し、ハンズフリーで双眼鏡が装着可能なサングラス双眼鏡に関する。
【背景技術】
【０００２】
従来から各種のスポーツ競技の観戦やイベントなどの鑑賞に際し、双眼鏡を使用する場合、携帯時のコンパクト化を考慮して、例えば、特許文献１で示すような折り畳み式双眼鏡が知られている。この折り畳み式双眼鏡は、前後方向に偏平な状態に折畳み可能な紙製方形状の箱体を設け、この箱体の対向面にそれぞれ対物レンズと接眼レンズを取り付けることによって、携帯時などにおいて箱体を薄く偏平な状態に折り畳むことが可能である。しかし、このような折り畳み式双眼鏡は、使用時において、少なくとも片手で箱体を持って使用することになるから、スポーツ競技の観戦やイベントなどの鑑賞など、長時間の使用に際し、使用者に負担を強いる面がある。そこで、特許文献２には、双眼鏡にゴムバンドが接続し、ゴムバンドを装着者の頭部に装着する双眼鏡が知られており、また、特許文献３には、双眼鏡本体の両側にメガネフレームのテンプル（ツル）を取り付け、使用時において、双眼鏡本体に取り付けたテンプル（ツル）を耳にかけて、ハンズフリーでの使用を可能とした双眼鏡などが知られている。
【０００３】
【特許文献１】特開平１０−３９２３４号公報
【特許文献２】特開平８−７６０２１号公報
【特許文献３】実開平３−２６１１３号公報
【発明の開示】
【発明が解決しようとする課題】
【０００４】
前記特許文献２及び特許文献３で開示される双眼鏡は、各種のスポーツ競技の観戦やイベントなどの鑑賞に際し、何れもハンズフリーで使用が可能であるが、特許文献２の双眼鏡は、ゴムバンドを用いて装着することから、常にレンズ部分が使用者の目の部分を圧迫されことになるから、長時間での使用に際し、使用者に負担を強いる面がある。一方、特許文献３で示す双眼鏡は、メガネ型フレームのテンプル（ツル）を耳に引っ掛けて使用することから、ゴムバンドでの使用と比べ、双眼鏡のレンズ部分が使用者の目の部分を圧迫することはない。しかし、単にメガネ型フレームのテンプル（ツル）を耳に引っ掛けて使用することから、構造的に双眼鏡のレンズ部分と使用者との間に隙間が生じる。すなわち、特許文献３に示す双眼鏡は、左右一対の双眼鏡部をメガネ型フレームの鼻あて部で連結して一体化するとともに、その左右一対の双眼鏡部の両側にメガネのテンプルを固定した構造であるから、構造的に双眼鏡部と使用者の目の間に隙間が生じ、その隙間から外光が直接的に入射し、眩しくて極めて見えづらくなるとともに、使用者の目幅に合わせて双眼鏡部の幅を合わせたり、視認対象物とのピント合わせといった双眼鏡としての基本的構造も備えていないから、極めて使いづらい、といった問題がある。
【０００５】
本発明は上述した問題点に鑑みてなされたものであり、ハンズフリーでの双眼鏡の使用が可能であるとともに、外光の影響を受けることなく、防眩性に優れたサングラス双眼鏡を提供することを目的とする。
【課題を解決するための手段】
【０００６】
請求項１に係るサングラス双眼鏡は、メガネ型のフレーム部と、このフレーム部の前面に設けた遮光性を備えた前面板と、この前面板に設けた一対の対物レンズと接眼レンズとを備え、前記フレーム部の周縁に、該フレーム部と装着者との隙間を塞ぐフード状の遮光性カバーを設けたことを特徴とする。
【０００７】
請求項１の構成により、フレーム部と装着者との間が遮光され、使用者は、視認対象物の方向から反射されてくる光のみを認識することができ、防眩性が高まる。
【０００８】
請求項２に係るサングラス双眼鏡は、前記接眼レンズと前記対物レンズとがそれぞれ光軸方向に移動自在に嵌め合わせた鏡筒に固定され、かつ、その一方の鏡筒を光軸方向に進退させてピント合わせを行う調節手段を備えたことを特徴とする。
【０００９】
請求項２の構成により、調節手段によって、接眼レンズと対物レンズとが相対的に光軸方向にスライドし、視認対象物に対するピント合わせが成される。
【００１０】
請求項３に係るサングラス双眼鏡は、前記鏡筒の摺動面に位置して前記接眼レンズ又は前記対物レンズを光軸方向に案内するためのガイド機構を設けたことを特徴する。
【００１１】
請求項３記載の構成により、接眼レンズ又は対物レンズを光軸方向にスライドさせて視認対象物に対するピント合わせする際、接眼レンズ又は対物レンズはガイド機構によって安定的に案内される。
【００１２】
請求項４に係るサングラス双眼鏡は、前記ガイド機構が、前記一方の鏡筒に設けたガイド用突部と、このガイド用突部と嵌合するように前記他方の鏡筒に設けたガイド用溝部とで構成されていることを特徴とする。
【００１３】
請求項４記載の構成により、接眼レンズ又は対物レンズを光軸方向にスライドさせて視認対象物に対するピント合わせする際、接眼レンズ又は対物レンズは、ガイド用溝部に沿ってガイド用突部が案内される。
【００１４】
請求項５に係るサングラス双眼鏡は、前記対物レンズ又は／及び接眼レンズの鏡筒間に固定板を架設するとともに、この固定板を左右に分割して枢支部により連結し、その枢支部を支点として左右の固定板の間隔を調整して前記対物レンズと接眼レンズの間隔を使用者の目幅に合わせる眼幅調節機能としたことを特徴とする。
【００１５】
請求項５の構成により、装着者の目幅に合わせて接眼レンズの間隔を簡単に調整することが可能となる。
【発明の効果】
【００１６】
請求項１に係るサングラス双眼鏡によれば、メガネ型のフレーム部と、このフレーム部の前面に設けた遮光性を備えた前面板と、この前面板に設けた一対の対物レンズと接眼レンズとを備え、前記フレーム部の周縁にフード状の遮光性カバーを設け、この遮光性カバーによって、前記フレーム部と装着者との隙間を塞いだことにより、メガネタイプの簡易な構造であるともに、スポーツ観戦、コンサートや各種のイベントなどにおいて、ハンズフリーで観戦や鑑賞が可能となるとともに、遮光性カバーによって、遮光性カバーの内側への外光の侵入を防止し、防眩性を高めることができる。
【００１７】
請求項２に係るサングラス双眼鏡によれば、前記接眼レンズと前記対物レンズとがそれぞれ光軸方向に移動自在に嵌め合わせた鏡筒に固定され、かつ、その一方の鏡筒を光軸方向に進退させてピント合わせを行う調節手段を備えたことにより、視認対象物に対するピント合わせが容易である。
【００１８】
請求項３に係るサングラス双眼鏡によれば、前記鏡筒の摺動面に位置して前記接眼レンズ又は前記対物レンズを光軸方向に案内するためのガイド機構を設けたことにより、ピント合わせを行う際、接眼レンズ又は対物レンズの動作を安定させることができる。
【００１９】
請求項４に係るサングラス双眼鏡によれば、前記ガイド機構が、前記一方の鏡筒に設けたガイド用突部と、このガイド用突部と嵌合するように前記他方の鏡筒に設けたガイド用溝部とで構成されていることにより、ガイド用溝部に沿ってガイド用突部が案内され、ピント合わせも容易である。
【００２０】
請求項５に係るサングラス双眼鏡によれば、前記対物レンズ又は／及び接眼レンズの鏡筒間に固定板を架設するとともに、この固定板を左右に分割して枢支部により連結し、その枢支部を支点として左右の固定板の間隔を調整して前記対物レンズと接眼レンズの間隔を使用者の目幅に合わせる眼幅調節機能としたことにより、使用者の目幅に合わせて対物レンズと接眼レンズの間隔を簡単に調整することができる。
【発明を実施するための最良の形態】
【００２１】
以下、本発明を実施するための最良の形態としての実施例を図１から図４を参照して説明する。もちろん、本発明は、その発明の趣旨に反さない範囲で、実施例において説明した以外のものに対しても容易に適用可能なことは説明を要するまでもない。
【００２２】
図１〜図４は、本発明の一実施例を示し、図１はサングラス双眼鏡の斜視図、図２はサングラス双眼鏡の平断面図、図３はサングラス双眼鏡の正面図、図４は使用状態を示すサングラス双眼鏡の縦断面図を示している。同図において、１は、メガネ型のフレーム部であり、後述するレンズを取り付ける前面板２を備え、該前面板２は、遮光性を合成樹脂などから一体形成されている。この前面板２の両側には左右一対のテンプル３を設けており、このテンプル３は、基部側に設けたヒンジ３Ａにより、テンプル３の先端側を内側に折り畳むことが可能である。４はフレーム部１に備えた鼻あて部であり、フレーム部１を装着する際、鼻あて部４を装着者の鼻に引っ掛けてフレーム部１の重量を分散して装着時における使用者の負担を軽減する。
【００２３】
５は、前面板２の周囲から後方に向かって延設される遮光性カバーであり、装着者とフレーム部１を塞ぐフード状に形成され、その左右両側に位置する遮光性カバー５の先端側は、前記ヒンジ３Ａの部分で分割形成され、その分割した先端部分は可動するテンプル３側と一体化しており、可動側テンプル３と共に内側に折り畳むことが可能である。また、前面板２の内面側には左右一対の接眼レンズ１０が、前面板２の外面側には左右一対の対物レンズ１１がそれぞれ取り付けられている。接眼レンズ１０と対物レンズ１１は、それぞれ遮光性の鏡筒１２、１３にそれぞれ組みつけられている。鏡筒１２、１３は相互に嵌合する円筒状に形成されており、前記前面板２に固定した接眼レンズ１０の鏡筒１２の内側に対物レンズ１１の鏡筒１３がスライド自在に嵌め入れられている。すなわち、接眼レンズ１０の鏡筒１２の外径が対物レンズ１１の鏡筒１３の内径とほぼ一致し、その一方の鏡筒１３の内周面に沿って他方の鏡筒１２の外周面が光軸方向にスライド自在に組み付けられている。また、前記前面板２に固定した鏡筒１２の内周面にはガイド機構としてＶ字型のガイド用溝部１６が形成され、この鏡筒１２の内側に組み込まれる前記鏡筒１３の外周面には、ガイド機構としてガイド用溝部１６と係合するＶ字型のガイド用突部１５が設けられている。これらガイド用突部１５とガイド用溝部１６との係合によって、前記前面板２に固定した鏡筒１２に対して対物レンズ１１の鏡筒１３が径方向に位置決めされるとともに、対物レンズ１１の鏡筒１３がＶ字型のガイド用突部１５に沿って光軸方向に案内される。
【００２４】
次に対物レンズ１１の鏡筒１３を光軸方向に進退させてピント合わせを行う調節手段２０について説明する。調節手段２０として、前記前面板２に固定したホルダー２１に調整摘み２２を一体化した調整ねじ２３が回動自在に枢支され、この調整ねじ２３の先端側が前記対物レンズ１１の鏡筒１３の間に架設した固定板２４に螺着されている。また、調整ねじ２３の基端側は前記前面板２に回動自在に枢支されており、調整摘み２２を左右方向に回動させることによって、この調整摘み２２と一体化した調整ねじ２２が回転し、この調整ねじ２２と前記固定板２４との螺合によって、対物レンズ１１の鏡筒１３が光軸方向（前後方向）に移動し、ピント合わせがなされる。
【００２５】
また、前記固定板２４と前記フレーム部１は、図３に示すように、左右に分割され、これら固定板２４とフレーム部１とが枢支部２５により左右方向に回動自在に連結されている。この枢支部２５は、固定板２４とフレーム部１の下部に形成され、その枢支部２５を支点として左右の固定板２４とフレーム部１を回動させることによって、固定板２４とフレーム部１に設けた対物レンズ１１と接眼レンズ１０の間隔を使用者の目幅に合わせて調整する眼幅調節機能を備えている。
【００２６】
以上のように、本実施例においては、未使用などにおいては、テンプル３はヒンジ３Ａから内側にコンパクトに折り畳むことによって、携帯時に便利である。そして、使用に際し、ヒンジ３Ａからテンプル３を開いてメガネと同じ要領でテンプル３を耳に掛けて装着する。そして、装着後、枢支部２５を中心として左右の固定板２４とフレーム部１を回転させ、装着者の目幅と接眼レンズ１０の間隔を調整する。この後、調整摘み２２を左右方向に回動させて調整ねじ２２を回転させ、固定板２４を介して対物レンズ１１の鏡筒１３を光軸方向（前後方向）に移動させることにより、視認対象物とのピント合わせを行う。このとき、対物レンズ１１の鏡筒１３は、その鏡筒１３に設けたＶ字型のガイド用溝部１６に沿って接眼レンズ１０の鏡筒１２に設けたガイド用突部１５が案内され、対物レンズ１１の鏡筒１３がガタ付くことなく安定した状態で案内されることになる。また、フレーム部１を装着した際、使用者とフレーム部１との間の隙間は遮光性カバー５によって塞がれる。すなわち、遮光性カバー５は、例えば柔軟性を有する合成ゴムあるいは合成樹脂などからなり、使用者の顔面に密着若しくは軽く接し、遮光性カバー５により、フレーム１の前面板２と、使用者との間隔、ひいては前面板２の内面に設けた接眼レンズ１０を使用者の眼球から僅かに離した状態で保持するとともに、フレーム部１を構成する遮光性カバー５と前面板２により、接眼レンズ１０が存在する遮光性カバー５の内側が遮光される。これにより、接眼レンズ１０が使用者から離れていても対物レンズ１１より入射して接眼レンズ１０によって決像された視認対象物のみが視認され、遮光性カバー５の内側に入り込む外光の悪影響によって、双眼鏡が見にくくなることはない。また、フレーム部１の鼻あて部４を装着者の鼻に引っ掛けて装着することによってフレーム部１の重量を分散し、装着時における使用者の負担を軽減することができる。
【００２７】
以上のように、本実施例においては、メガネタイプの簡易な構造であるともに、スポーツ観戦、コンサートや各種のイベントなどにおいて、ハンズフリーでの観戦や鑑賞が可能となるとともに、遮光性カバー５によって、接眼レンズ１０が存在する遮光性カバー５の内側への外光の侵入を防止して防眩性を高めることで、双眼鏡の視認性の低下や不要な像を発生させずに済むができる。また、テンプル３を折り畳むことによって、携帯性にも優れる。
【００２８】
以上、本実施例について詳述したが、本発明は、前記実施例に限定されるものではなく、本発明の要旨の範囲内で種々の変形実施が可能であり、例えば、フレーム部１の形状や材質あるいはピント合わせを行う調節手段２０やガイド機構、眼幅調節機能の基本的構造は適宜選定すればよい。また、前記実施例では、眼幅調節機能として固定板２４とフレーム部１を左右に分割して枢支部２５により左右方向に回動自在に連結し、枢支部２５を支点として固定板２４とフレーム部１を回動させることによって、固定板２４とフレーム部１に設けた対物レンズ１１と接眼レンズ１０の間隔を使用者の目幅に合わせて調整するように構成したが、固定板２４を比較的、硬質材料で形成する一方、フレーム部１を柔軟性と可撓性を備えた材料で一体形成し、固定板２４のみを分割して枢支部２５で連結し、固定板２４のみを回転させ、その固定板２４の変位に合わせてフレーム部１を変形させるように構成してもよい。さらに、前記実施例ではフレーム部１の周縁から環状に連続した遮光性カバー５を一体形成した例を示したが、使用者の左右の目にそれぞれ対応させ、その左右の目の周囲を覆うように、左右一対の遮光性カバー５をフレーム部１に一体形成するように構成してもよい。
【図面の簡単な説明】
【００２９】
【図１】本発明の一実施例を示すサングラス双眼鏡の斜視図である。
【図２】同上、サングラス双眼鏡の平面図である。
【図３】同上、サングラス双眼鏡の正面図である。
【図４】同上、使用状態を示すサングラス双眼鏡の縦断面図である。
【符号の説明】
【００３０】
１  フレーム部
２  前面板
５  遮光性カバー
１０  接眼レンズ
１１  対物レンズ
１２，１３  鏡筒
１５  ガイド用突部（ガイド機構）
１６  ガイド用溝部（ガイド機構）
２０  調節手段
２５  枢支部
【図１】
2009031381.tif 000003
【図２】
2009031381.tif 000004
【図３】
2009031381.tif 000005
【図４】
2009031381.tif 000006